(57)【要約】【課題】本発明は、従来の書籍と同様に紙面に書かれた情報による豊かな情報認識が可能であると共に、優れた音質で音声を再生することができ、さらに持ち運び等が容易なように軽量化されたスピーカ付書籍装置を提供するものである。【解決手段】表表紙および裏表紙によって１または２以上のシートが一端で綴じられてなるものであって、前記表表紙および裏表紙のうちの少なくとも一方が、ハニカム構造を有するスピーカ用振動板と、励振器または圧電素子とからなるスピーカであるもの。【選択図】図２
2007076166.tif 000002
【特許請求の範囲】
【請求項１】
表表紙および裏表紙によって１または２以上のシートが一端で綴じられてなるものであって、前記表表紙および裏表紙のうちの少なくとも一方が、ハニカム構造を有するスピーカ用振動板と、励振器または圧電振動子とからなるスピーカであることを特徴とするスピーカ付書籍装置。
【請求項２】
前記ハニカム構造を有するスピーカ用振動板はハニカム構造部が２枚の板状支持体によって挟持されたものであり、前記励振器または圧電振動子は、前記２枚の板状支持体のうち前記シート側となる板状支持体の主面上に固定されていることを特徴とする請求項１記載のスピーカ付書籍装置。
【請求項３】
前記表表紙および裏表紙のうちスピーカとなるものには、前記スピーカにより再生させる音声データが記憶される音声記憶装置またはこれにその記憶内容を変更するために用いられる外部機器接続用端子が設けられた音声記憶装置と、前記音声記憶装置から音声データを読み出して前記スピーカに出力する再生装置とが設けられていることを特徴とする請求項１または２記載のスピーカ付書籍装置。
【請求項４】
前記スピーカ付書籍装置にはさらに開かれたシートのシート番号を認識するシート番号認識手段が設けられており、前記音声記憶装置にはシート番号に対応した音声データが記憶されており、前記再生装置には前記シート番号認識手段によって認識されたシート番号に対応する音声データを前記音声記憶装置から読み出す手段が設けられている特徴とする請求項３記載のスピーカ付書籍装置。
【請求項５】
前記シート番号認識手段は、前記各シートに設けられた少なくともシート番号を記憶したＲＦＩＤタグと、前記表表紙および裏表紙のうちの少なくとも一方に設けられ、前記ＲＦＩＤタグの記憶内容を読み取る通信装置とからなることを特徴とする
請求項４記載のスピーカ付書籍装置。
【請求項６】
表表紙部および裏表紙部が一端部で接続され、書籍を担持するための書籍保持手段が設けられたものであって、前記表表紙部および裏表紙部のうちの少なくとも一方が、ハニカム構造を有するスピーカ用振動板と、励振器または圧電振動子とからなるスピーカであることを特徴とするスピーカ付書籍担持装置。
【請求項７】
前記ハニカム構造を有するスピーカ用振動板はハニカム構造部が２枚の板状支持体によって挟持されたものであり、前記励振器または圧電振動子は、前記２枚の板状支持体のうち前記書籍を担持する側となる板状支持体の主面上に固定されていることを特徴とする請求項６記載のスピーカ付書籍担持装置。
【請求項８】
前記担持される書籍には電力の供給およびデータの受け渡しの少なくとも一方を行うための電気的接続手段が設けられ、前記スピーカ付書籍担持装置には前記書籍の電気的接続手段と接続するための電気的接続手段が設けられていることを特徴とする請求項６または７記載のスピーカ付書籍担持装置。
【請求項９】
前記担持される書籍には音声データが記憶される音声記憶装置が設けられ、前記スピーカ付書籍担持装置には前記音声記憶装置に記憶された音声データを読み出して前記スピーカに出力する再生装置が設けられていることを特徴とする請求項８記載のスピーカ付書籍担持装置。
【請求項１０】
前記スピーカ付書籍装置またはスピーカ付書籍担持装置の再生装置は、音質あるいは音量の制御、再生速度あるいは再生場所の選択、再生開始場所の記憶、再生場所の検索の機能から選ばれる少なくとも１つの機能を有することを特徴とする請求項３、４、５、９のいずれか１項記載のスピーカ付書籍装置またはスピーカ付書籍担持装置。
【請求項１１】
前記スピーカ付書籍装置またはスピーカ付書籍担持装置には、前記再生装置を操作するための１または２以上の操作部材が設けられていることを特徴とする請求項１０記載のスピーカ付書籍装置またはスピーカ付書籍担持装置。
【請求項１２】
前記スピーカ付書籍装置あるいはスピーカ付書籍担持装置には、前記スピーカ付書籍装置またはスピーカ付書籍担持装置に担持される書籍の書名、著者名、ページ数、または、前記スピーカ付書籍装置あるいはスピーカ付書籍担持装置の再生装置の各種設定内容を表示するための表示装置が設けられていることを特徴とする請求項１０記載のスピーカ付書籍装置またはスピーカ付書籍担持装置。
【発明の詳細な説明】
【技術分野】
【０００１】
本発明は、音声データを再生するためのスピーカが設けられたスピーカ付書籍装置およびスピーカ付書籍担持装置に関する。
【背景技術】
【０００２】
従来、書籍に音声を再生する機能を持たせたスピーカ付書籍装置が存在する。このスピーカ付書籍装置は、従来の書籍と同様に紙に文字や写真等が印刷されたシートを有するものであり、それを綴じる表表紙や裏表紙にあたる部分に半導体メモリ等の音声記憶装置、この音声記憶装置に記憶された音声データを再生するスピーカ、電源等が設けられたものである（例えば、特許文献１参照。）。このようなスピーカ付書籍装置は、視覚情報と音声情報とが同時に得られるため、例えば幼児教育用の絵本や、辞書、辞典等としての利用が期待されている。
【特許文献１】特開２００４−１０６５０４号公報
【発明の開示】
【発明が解決しようとする課題】
【０００３】
従来、音楽等の音声を長時間記憶再生できる音声記憶再生装置が数多く知られている。また、このような音声記憶再生装置と液晶表示装置とからなる電子書籍装置も数多く知られている。そして、現在では、見た目や厚さが書籍のページに比較的近く、電気的手段によりデータの表示・消去が可能な電子ペーパーと、音声記憶再生装置とを組み合わせた電子書籍装置も開発が進められている。
【０００４】
しかしながら、このような液晶表示装置等に表示された文字等の情報は必ずしも全ての人に受け入れられているとはいえず、依然として紙の上に書かれた情報を読みたいという要求がある。このことはパーソナルコンピュータが発達し、ディスプレイ上で情報を読むことが可能であるにもかかわらず、プリンタにより多くの情報が紙面に印刷され読まれていることからも明らかである。そして、このような傾向は今後も依然として続くものと考えられる。
【０００５】
このような電子的に文字等を表示するものに対して、上記したスピーカ付書籍装置は、従来の書籍と同様に紙面に情報が印刷されているため、紙の上に書かれた情報を読みたいという要求を十分に満足させることができる。しかしながら、従来のスピーカ付書籍装置についてはスピーカとして単に圧電スピーカが設けられているにすぎず、周波数特性に優れず、出力も小さいという課題がある。
【０００６】
また、このような圧電スピーカに代えて一般的な音響装置に用いられるコーン型のスピーカ等を用いることも考えられるが、消費電力が大きく、厚さも厚く、重量も増加し、持ち運びが困難になるという課題がある。
【０００７】
本発明は、このような課題に鑑みてなされたものであり、従来の書籍と同様に紙面に書かれた豊かな情報による情報認識が可能であり、かつ、再生される音質にも優れ、さらに持ち運び等においても負担にならないよう軽量化が可能なスピーカ付書籍装置ならびにスピーカ付書籍担持装置およびそれにより担持される書籍を提供することを目的としている。
【課題を解決するための手段】
【０００８】
本発明のスピーカ付書籍装置は、表表紙および裏表紙によって１または２以上のシートが一端で綴じられてなるものであって、前記表表紙および裏表紙のうちの少なくとも一方が、ハニカム構造を有するスピーカ用振動板と、励振器または圧電振動子とからなるスピーカであることを特徴とするものである。
【０００９】
前記ハニカム構造を有するスピーカ用振動板はハニカム構造部が２枚の板状支持体によって挟持されたものであり、前記励振器または圧電振動子は、前記２枚の板状支持体のうち前記シート側となる板状支持体の主面上に固定されていることが好ましい。
【００１０】
前記表表紙および裏表紙のうちスピーカとなるものには、前記スピーカにより再生させる音声データが記憶される音声記憶装置またはこれにその記憶内容を変更するために用いられる外部機器接続用端子が設けられた音声記憶装置と、前記音声記憶装置から音声データを読み出して前記スピーカに出力する再生装置とが設けられていることが好ましい。
【００１１】
本発明のスピーカ付書籍装置には、さらに開かれたシートのシート番号を認識するシート番号認識手段が設けられており、前記音声記憶装置にはシート番号に対応した音声データが記憶されており、前記再生装置には前記シート番号認識手段によって認識されたシート番号に対応する音声データを前記音声記憶装置から読み出す手段が設けられていることが好ましい。
【００１２】
前記シート番号認識手段は、例えば前記各シートに設けられた少なくともシート番号を記憶したＲＦＩＤタグと、前記表表紙および裏表紙のうちの少なくとも一方に設けられ、前記ＲＦＩＤタグの記憶内容を読み取る通信装置とからなるものである。
【００１３】
本発明のスピーカ付書籍担持装置は、表表紙部および裏表紙部が一端部で接続され、書籍を担持するための書籍保持手段が設けられたものであって、前記表表紙部および裏表紙部のうちの少なくとも一方が、ハニカム構造を有するスピーカ用振動板と、励振器または圧電振動子とからなるスピーカであることを特徴とするものである。
【００１４】
前記ハニカム構造を有するスピーカ用振動板はハニカム構造部が２枚の板状支持体によって挟持されたものであり、前記励振器または圧電振動子は、前記２枚の板状支持体のうち前記書籍を担持する側となる板状支持体の主面上に固定されていることが好ましい。
【００１５】
また、本発明のスピーカ付書籍担持装置においては、前記担持される書籍に電力の供給およびデータの受け渡しの少なくとも一方を行うための電気的接続手段が設けられ、前記スピーカ付書籍担持装置に前記書籍の電気的接続手段と接続するための電気的接続手段が設けられていることが好ましい。
【００１６】
さらに、前記担持される書籍には音声データが記憶される音声記憶装置が設けられ、前記スピーカ付書籍担持装置には前記音声記憶装置に記憶された音声データを読み出して前記スピーカに出力する再生装置が設けられていることが好ましい。
【００１７】
これら本発明のスピーカ付書籍装置またはスピーカ付書籍担持装置の再生装置は、音質あるいは音量の制御、再生速度あるいは再生場所の選択、再生開始場所の記憶、再生場所の検索の機能から選ばれる少なくとも１つの機能を有するものであることが好ましい。
【００１８】
さらに、本発明のスピーカ付書籍装置またはスピーカ付書籍担持装置には、前記再生装置を操作するための１または２以上の操作部材や、スピーカ付書籍装置またはスピーカ付書籍担持装置に担持される書籍の書名、著者名、ページ数、または、それらに設けられる再生装置の各種設定内容を表示するための表示装置が設けられていることが好ましい。
【発明の効果】
【００１９】
本発明のスピーカ付書籍装置によれば、書籍の表表紙あるいは裏表紙に相当する部分をハニカム構造を有するスピーカ用振動板と、励振器または圧電振動子とからなるスピーカとすることで、従来の書籍と同様に紙面に書かれた豊かな情報による情報認識を可能としつつ、優れた音質による情報認識が可能となる。さらに、このようにすることで軽量化も可能となり、容易に持ち運び等ができるものとすることができる。
【００２０】
また、本発明のスピーカ付書籍担持装置によれば、書籍カバーの表表紙部分あるいは裏表紙部分に相当する部分をハニカム構造を有するスピーカ用振動板と、励振器または圧電振動子とからなるスピーカとすることで、従来のように書籍を担持させてその紙面に書かれた豊かな情報による情報認識を可能としつつ、優れた音質による情報認識が可能となる。さらに、このようにすることで軽量化も可能となり、書籍を担持させて容易に持ち運び等ができるものとすることができる。
【００２１】
また、担持される書籍を取り替えることで、１つの書籍担持装置で複数の書籍音声の再生が可能となる。さらに、音声再生時の音質、音量、再生場所、再生スピード等の各種設定を選択できるようにしたことで、読者（使用者）の好みの音での再生が可能となり、本発明の効果を高めることができる。また、読書時、しおりをはさむように再生開始場所を記憶させたり、再生場所を検索する機能を持たせることで、任意の場所から再生できるようになり、読者の利便性を高めている。
【００２２】
さらに、スピーカ付書籍装置、スピーカ付書籍担持装置には、再生装置を操作するための操作部材を設けることで、再生装置の各種設定等が容易となる。また、スピーカ付書籍装置、スピーカ付書籍担持装置には表示装置を設けることで、スピーカ付書籍装置またはスピーカ付書籍担持装置に担持される書籍の書名、著者名、ページ数の確認や、スピーカ付書籍装置またはスピーカ付書籍担持装置の再生装置の各種設定の変更や確認が容易となり、さらに本発明の効果を高めている。
【００２３】
本発明によれば、紙面に書かれた文字、写真等を読む満足感と、優れた音質の音声を聞く満足感とを同時に得ることができ、さらに実際に文字、写真等が書かれたものをもつという所有感も得ることができる。また、言語能力が未発達な幼児の教育等に用いれば、視覚と聴覚の両方から情報が得られるため、豊かな情操教育が可能となる。
【発明を実施するための最良の形態】
【００２４】
以下、本発明について図面を参照して説明する。図１は本発明のスピーカ付書籍装置１の表表紙２を開いた状態を示した斜視図である。また、図２は図１に示すスピーカ付書籍装置１を表表紙２側からみた正面図であり、一部を切欠断面図としたものである。また、図３、４、５は、それぞれ図２に示すスピーカ付書籍装置１の左側面図、右側面図、上面図である。
【００２５】
本発明のスピーカ付書籍装置１は、例えば図１に示すように、外観は通常の書籍とほぼ同様であり、表表紙２および裏表紙３を有し、これらの間に１または２以上のシート４が挟まれ背５の部分で綴じられたものである。シート４は、通常の書籍のページと同様に紙からなるものであり、その紙面上には文章等を表現する文字、写真、絵画等が印刷されている。
【００２６】
本発明のスピーカ付書籍装置１は、例えば図２に示すように、このような表表紙２および裏表紙３のうちの少なくとも一方が、ハニカム構造を有するスピーカ用振動板６と励振器７とからなるスピーカ８となっている。なお、図１〜５に示すスピーカ付書籍装置１は表表紙２のみをスピーカ８とした例を示したものである。
【００２７】
また、本発明のスピーカ付書籍装置１には、例えば図２に示すように、スピーカ８により再生させる音声データが記憶される音声記憶装置９と、この音声記憶装置９から音声データを読み出してスピーカ８に出力する再生装置１０とが設けられる。これら音声記憶装置９や再生装置１０は、例えばスピーカ用振動板６のハニカム構造の一部をくり抜いて、その部分に埋設することにより設置されるものである。
【００２８】
さらに、本発明のスピーカ付書籍装置１には、例えばこの再生装置１０を操作するための４つの押しボタン状の操作部材１１や、スピーカ付書籍装置１の書名、著者名、ページ数等の書籍情報あるいは再生装置１０の各種設定内容を表示する表示装置１２が設けられる。なお、この操作部材１１や表示装置１２は、スピーカ付書籍装置１のデザインや機能に応じて他の部分に配置したり、個数を変更したりすることができる。
【００２９】
本発明のスピーカ付書籍装置１は、文字、写真、絵画等が印刷されたシート４を有すると共に、表表紙２および裏表紙３のうちの少なくとも一方をスピーカ８とすることで、従来の書籍と同様に紙面に書かれた豊かな情報を視覚を通じて認識することができると共に、音声による情報を聴覚を通じて認識することができる。
【００３０】
また、本発明のスピーカ付書籍装置１では、表表紙２や裏表紙３となるスピーカ８をハニカム構造を有するスピーカ用振動板６と励振器７とからなるものとすることで、単に圧電スピーカを用いたものと比べて音質を向上させることができると共に、出力も向上させることができる。さらに、一般的なコーン型のスピーカに比べて軽量化できると共に、スピーカ部分の厚さも薄くすることができる。
【００３１】
図６は、本発明のスピーカ付書籍装置１における表表紙２となるスピーカ８を示した断面図である。図６に示すように、スピーカ８は、ハニカム構造を有するスピーカ用振動板６に励振器７が設けられたものである。ハニカム構造を有するスピーカ用振動板６は、例えば２枚の板状支持体１３によってハニカム構造部１４を挟持することにより構成されるものである。また、励振器７は、通常、スピーカ用振動板６の内側（シート４側）に設けられる。このようなスピーカ８では、励振器７を振動させることにより、これに接続されたハニカム構造を有するスピーカ用振動板６を振動させ、音声を発生させることができる。
【００３２】
なお、図６は、スピーカ８の主要な構成のみを示したものであり、スピーカ８としての機能を害しない範囲において、この他にも表表紙２に必要とされる装飾のための被覆、励振器７の保護のための被覆等を適宜設けることができる。
【００３３】
スピーカ用振動板６を構成するハニカム構造部１４は空洞が形成されたハニカム構造を有するものであれば特にその空洞の断面形状等は限定されるものではなく、例えば図２の切欠部に示すような六角形状のものであってもよいし、例えば三角形状、正方形状、長方形状、菱形状、波形状等、特に制限されるものではない。
【００３４】
また、スピーカ用振動板６を構成する板状支持体１３、ハニカム構造部１４の材料は、スピーカ８としたときに有効に音声を発生させることができるものであれば特に限定されるものではなく、例えば紙、プラスチック等を用いることができる。また、例えば基材として紙を用い、これに熱硬化性樹脂を含浸、硬化させたものを用いてもよい。このようなものは軽量であると共に、強度にも優れるため、特に軽量化や高強度化が求められる場合に好適に用いられる。
【００３５】
基材に含浸させる熱硬化性樹脂としては必ずしも限定されるものではないが、エポキシ系樹脂、フェノール系樹脂等が好ましいものとして挙げられる。また、より一層強度を上げるために、これらエポキシ系樹脂、フェノール系樹脂等の熱硬化性樹脂に充填材として例えばガラス繊維、アラミド繊維等を混合してもよい。
【００３６】
励振器７はスピーカ用振動板６を有効に振動させて音声を発生させることができるものであれば特に限定されるものではなく、圧電振動子等も用いることができる。これらは設置する際に許容される厚さ、必要とされる出力等に応じて適宜選択して用いることが好ましい。
【００３７】
励振器７を設ける位置は、例えば図２、６に示すように、スピーカ用振動板６の上下方向の中央付近の左右に１個ずつ配置してもよいし、図示しないが、例えばスピーカ用振動板の上下左右方向の中央付近に１個のみ配置してもよいし、また４隅に１個ずつ配置するようにしてもよく、その設置場所、個数は必ずしも限定されるものではなく適宜選択することができる。
【００３８】
図７は、スピーカ付書籍装置１の構成例を示したブロック図である。スピーカ付書籍装置１は、例えばスピーカ８により再生される音声データが記憶される音声記憶装置９と、この音声記憶装置９から音声データを読み出してスピーカ８に出力する再生装置１０と、この再生装置１０からの出力を受けて音声を発するスピーカ８とから主としてなるものである。
【００３９】
再生装置１０は、例えば音声記憶装置９に記憶された音声データをデコードするための音声デコーダ１５と、音量や音質を調整するための音量・音質調整装置１６と、デジタルデータをアナログ化するＤ／Ａコンバータ１７と、オーディオ出力するための出力アンプ１８と、これらに電力を供給するための電源装置１９とを有するものである。
【００４０】
さらに再生装置１０には、例えばこれら音声デコーダ１５、音量・音質調整装置１６、Ｄ／Ａコンバータ１７、出力アンプ１８を設定された動作モードや各種タイミングに基づいて動作させるマイクロコンピュータやＡＳＩＣ、ＩＣ等の処理装置２０が設けられる。また、この処理装置２０には、操作部材１１と接続するためのＳＷ入力端子が設けられる他、後述するＲＦＩＤ通信装置や受信再生装置等が接続される。さらに、表示装置１２もこの処理装置２０に接続される。
【００４１】
この再生装置１０は、例えば音質あるいは音量の制御、再生速度あるいは再生場所の選択、再生開始場所の記憶、再生場所の検索等の機能を有するものである。再生開始場所の記憶は、例えばしおりのような機能であり、音声の再生を開始する場所を記憶させ、再びその場所から音声を再生できるようにするものである。また、再生場所の検索は、音声記憶装置９に記憶させた音声データを検索する機能である。これらの機能は、スピーカ付書籍装置１に設けられた操作部材１１や表示装置１２を介して、主として処理装置２０により行われる。
【００４２】
表示装置１２は、上記したような再生場所の検索等に用いられるほか、例えばスピーカ付書籍装置１の書名、著者名、現在開かれているシート４のシート番号等の書籍情報や、再生装置１０の各種設定内容等が表示される。これらの書籍情報、再生装置の各種設定内容は、例えば処理装置２０あるいは音声記憶装置９、その他の記憶装置（図示せず）等に記憶されたものである。
【００４３】
再生装置１０に用いられる音声記憶装置９は音声データを記憶することができるものであれば特に制限されるものではないが、例えばスピーカ用振動板６のハニカム構造部１４の一部に埋設することができるように小型、薄型のものが好ましく、例えば半導体メモリの一種であるフラッシュメモリが好適なものとして挙げられる。また、この音声記憶装置９には、外部機器と接続し、その記憶内容を変更するために用いられる外部機器接続用端子が設けられていてもよい。
【００４４】
音声デコーダ１５はＭＰ３等のいろいろなフォーマットがあるが、１つまたは２つ以上のフォーマットに対応可能な市販のデコーダＩＣを用いることができる。音質・音量調整装置１６、Ｄ／Ａコンバータ１７、出力アンプ１８は市販の半導体ＩＣを用いることができる。また、音声デコーダ１５、音質・音量調整装置１６、Ｄ／Ａコンバータ１７、出力アンプ１８を一体化した半導体ＩＣも使用することができる。
【００４５】
処理装置２０は、市販のワンチップマイコンから前述の機能を備えるものを選択して使用することができる。また、所望の機能を盛り込んだＡＳＩＣ、ＩＣ等も用いることができる。表示装置１２は、ドットマトリックスやカスタムで独自のキャラクターを持つ液晶表示装置やＬＥＤ、ＥＬ、有機ＥＬ等が使用可能であり、それぞれを組み合わせてもよい。
【００４６】
また、電源装置１９は電池とＤＣ／ＤＣコンバータ等で形成され、電池としては一次電池あるいは二次電池のいずれも用いることができる。また、電池は円筒状、板状、ボタン状、コイン状等の各種形状のものを用いることができる。ＤＣ／ＤＣコンバータは回路で必要とする電圧と電力量をまかなうため、１つまたは２つ以上の出力系統を持つ。これらはスピーカ用振動板のハニカム構造部１４の一部に埋設する観点からは小型、薄型のものが好ましく、板状、ボタン状、コイン状のものが好ましい。
【００４７】
さらに、本発明のスピーカ付書籍装置１は、音声記憶装置９にシート番号に対応した音声データが記憶されると共に、開かれたシート４のシート番号を認識するシート番号認識手段が設けられ、再生装置１０にこのシート番号認識手段によって認識したシート番号に対応する音声データを音声記憶装置９から読み出す手段が設けられていることが好ましい。なお、シート番号とは、通常の書籍のページ番号に相当するものである。
【００４８】
図８は、シート番号認識手段としてＲＦＩＤ(Radio  Frequency  Identification：無線ＩＤ)システムを利用したスピーカ付書籍装置１を示したものである。シート番号認識手段として、各シート４にはそれぞれのシート番号や内容等の情報が記憶されたＲＦＩＤタグ３０が埋設されると共に、表表紙２にはそのＲＦＩＤタグ３０に記憶された情報を読み取る通信装置３１が設けられる。さらに、この通信装置３１は再生装置１０の処理装置２０に接続されている。音声記憶装置９にはシート番号に対応した音声データが記憶されており、再生装置１０の処理装置２０が通信装置３１で読み取ったＲＦＩＤタグ３０の記憶内容に基づいて音声記憶装置９からシート番号に対応した音声データを読み出しスピーカ８へと出力する。
【００４９】
開かれたシートのシート番号を認識するには、例えば通信装置３１の読取範囲（通信範囲）をそのごく近傍の狭い範囲に調整しておき、シート４をめくったときにそのＲＦＩＤタグ３０がちょうどこの読取範囲（通信範囲）内に入るようにし、そこに記憶されたシート番号等を読み取るようにすることで行うことができる。
【００５０】
また、図示しないが、本発明のスピーカ付書籍装置１には、例えば携帯電話等からの特定の電波を受信してスピーカ８から所定の音声を再生する受信再生装置が設けられていれば好ましい。このような受信再生装置を設けることで、例えばスピーカ付書籍装置１の所在が不明なときに、携帯電話等から特定の電波を発しスピーカ付書籍装置１のスピーカ８から所定の音声を再生させることで、その所在を容易に知ることが可能となる。
【００５１】
以上、本発明のスピーカ付書籍装置１について例を挙げて説明したが、本発明のスピーカ付書籍装置１はこのような例に限られず、本発明の趣旨に反しない限度において、かつ、必要に応じてその構成を適宜変更することができる。例えば、上記した例では表表紙２のみをスピーカ８としたが、このようなものに代えて裏表紙３のみをスピーカ８としてもよく、また表表紙２と裏表紙３の両方をスピーカ８としてもよい。
【００５２】
次に、本発明のスピーカ付書籍担持装置について説明する。図９は本発明のスピーカ付書籍担持装置４０をその表表紙部４１側からみた正面図であり、一部を切欠断面図としたものである。また、図１０、１１は、それぞれ図９に示すスピーカ付書籍担持装置４０の右側面図、上面図である。
【００５３】
本発明のスピーカ付書籍担持装置４０は、書籍を担持するために用いられるものであり、外観は通常の書籍カバーに似たものである。本発明のスピーカ付書籍担持装置４０は、表表紙部４１および裏表紙部４２が背部４３で接続されたものであり、表表紙部４１および裏表紙部４２のうちの少なくとも一方が、ハニカム構造を有するスピーカ用振動板６と励振器７とからなるスピーカ８となっている。
【００５４】
また、本発明のスピーカ付書籍担持装置４０には、書籍の表紙等を保持するための書籍保持手段として、例えば図１０、１１に示すように、一端が裏表紙部４２に固定されたクリップ４４が設けられている。書籍保持手段としては図１０、１１に示すようなクリップ４４が代表的なものとして挙げられるが、このようなもの以外にも書籍を有効に保持できるものであれば特に限定されることなく使用することができる。なお、図中、スピーカ付書籍装置１と同様の機能を有するものについては、同一の符号を付している。また、図９〜１１に示すスピーカ付書籍担持装置４０は、表表紙部４１のみをスピーカ８とした例を示したものである。
【００５５】
本発明のスピーカ付書籍担持装置４０には、例えば図９に示すように、音声データを読み出してスピーカ８に出力する再生装置１０が設けられる。この再生装置１０は例えばスピーカ用振動板６のハニカム構造の一部をくり抜いて、その部分に埋設することにより設置されるものである。また、この再生装置１０には、電気的接続手段４５が設けられている。
【００５６】
さらに、本発明のスピーカ付書籍担持装置４０には、例えばこの再生装置１０を操作するための４つの押しボタン状の操作部材１１と、このスピーカ付書籍担持装置４０によって担持される書籍の書名、著者名、ページ数または再生装置１０の各種設定を表示する表示装置１２が設けられる。なお、この操作部材１１や表示装置１２は、スピーカ付書籍担持装置４０のデザインや機能に応じて他の部分に配置したり、個数を変更したりすることができる。
【００５７】
一方、本発明のスピーカ付書籍担持装置４０に担持される書籍は、例えば図１２に示されるものである。図１２に示される書籍５０は、通常の書籍と同様に表表紙５１および裏表紙５２によって１または２以上のシート５３が背５４で綴じられたものであるが、その表表紙５１にスピーカ付書籍担持装置４０のスピーカ８により再生させる音声データが記憶される音声記憶装置９が埋設されており、さらにこの音声記憶装置９にスピーカ付書籍担持装置４０の電気的接続手段４５に接続される電気的接続手段５５が接続されている点で異なる。
【００５８】
スピーカ付書籍担持装置４０におけるスピーカ８は上記したスピーカ付書籍装置１におけるスピーカ８と同様のものであり、図６に示すように、ハニカム構造を有するスピーカ用振動板６に励振器７が設けられたものである。ハニカム構造を有するスピーカ用振動板６は、例えば２枚の板状支持体１３によってハニカム構造部１４を挟持することにより構成されるものである。励振器７は、通常、スピーカ用振動板６の内側（書籍を保持する側）に設けられる。板状支持体１３、ハニカム構造部１４、励振器７等はスピーカ付書籍装置１と同様なものを用いることができる。
【００５９】
図１３は、スピーカ付書籍担持装置４０およびそれにより担持される書籍５０の構成例を示したブロック図である。担持される書籍５０には、スピーカ付書籍担持装置４０のスピーカ８により再生される音声データが記憶される音声記憶装置９が設けられ、この音声記憶装置９には電気的接続手段５５が設けられている。また、スピーカ付書籍担持装置４０には、この書籍５０の電気的接続手段５５に接続される電気的接続手段４５が設けられ、この電気的接続手段４５には再生装置１０が接続されている。この再生装置１０には、これからの出力を受けて音声を発するスピーカ８が接続されている。
【００６０】
このスピーカ付書籍担持装置４０およびそれにより担持される書籍５０では、書籍５０に設けられた音声記憶装置９に記憶された音声データを、それぞれの電気的接続手段５５、４５を介してスピーカ付書籍担持装置４０の再生装置１０で読み取りスピーカ８へと出力する。
【００６１】
再生装置１０は、例えば音声記憶装置９に記憶された音声データをデコードするための音声デコーダ１５と、音量や音質を調整するための音量・音質調整装置１６と、デジタルデータをアナログ化するＤ／Ａコンバータ１７と、オーディオ出力するための出力アンプ１８と、これらに電力を供給するための電源装置１９とを有するものである。
【００６２】
さらに再生装置１０には、例えばこれら音声デコーダ１５、音量・音質調整装置１６、Ｄ／Ａコンバータ１７、出力アンプ１８を設定された動作モードや各種タイミングに基づいて動作させるマイクロコンピュータやＡＳＩＣ、ＩＣ等の処理装置２０が設けられる。また、この処理装置２０には、操作部材１１と接続するためのＳＷ入力端子が設けられる他、後述するＲＦＩＤ通信装置や受信再生装置等が接続される。さらに、表示装置１２もこの処理装置２０に接続される。
【００６３】
この再生装置１０には、例えば音質あるいは音量の制御、再生速度あるいは再生場所の選択、再生開始場所の記憶、再生場所の検索等の機能が設けられる。再生開始場所の記憶は、例えばしおりのような機能であり、音声の再生を開始する場所を記憶させ、再びその場所から音声を再生できるようにするものである。また、再生場所の検索は、音声記憶装置９に記憶させた音声データを検索する機能である。これらの機能は、スピーカ付書籍担持装置４０に設けられた操作部材１１や表示装置１２を介して、主として処理装置２０により行われる。
【００６４】
表示装置１２は、上記したような再生場所の検索等に用いられるほか、例えばスピーカ付書籍担持装置４０に担持される書籍５０の書名、著者名、現在開かれているシート５３のシート番号等の書籍情報や、再生装置１０の各種設定内容等が表示される。書籍５０の書籍情報は、例えば書籍５０に設けられる音声記憶装置９やその他の記憶装置（図示せず）に記憶されたものであり、再生装置の各種設定内容は、例えば処理装置２０等に記憶されたものである。
【００６５】
書籍５０に設けられる音声記憶装置９や、スピーカ付書籍担持装置４０の再生装置１０に用いられる音声デコーダ１５、音量・音質調整装置１６、Ｄ／Ａコンバータ１７、出力アンプ１８、電源装置１９、処理装置２０、表示装置１２等はスピーカ付書籍装置１と同様のものを用いることができる。
【００６６】
さらに、本発明のスピーカ付書籍担持装置４０およびそれにより担持される書籍５０には、スピーカ付書籍装置１と同様に、書籍５０の音声記憶装置９にそのシート番号に対応した音声データが記憶され、スピーカ付書籍担持装置４０および書籍５０に開かれたシート５３のシート番号を認識するシート番号認識手段が設けられ、さらにスピーカ付書籍担持装置４０の再生装置１０にこのシート番号認識手段によって認識したシート番号に対応する音声データを音声記憶装置９から読み出す手段が設けられていることが好ましい。
【００６７】
シート番号認識手段としてはＲＦＩＤ(Radio  Frequency  Identification：無線ＩＤ)システムを利用したものが挙げられ、基本的な構成、動作はスピーカ付書籍装置１の場合とほぼ同様であるが、書籍５０の各シート５３にそれぞれのシート番号や内容等の情報が記憶されたＲＦＩＤタグが埋設されると共に、その音声記憶装置９にシート番号に対応した音声データが記憶され、スピーカ付書籍担持装置４０の表表紙部４１に通信装置が設けられる点で異なる。
【００６８】
また、図示しないが、本発明のスピーカ付書籍担持装置４０には、スピーカ付書籍装置１と同様に、例えば携帯電話等からの特定の電波を受信してスピーカ８から所定の音声を再生する受信再生装置を設けてもよい。このような受信再生装置を設けることで、例えばスピーカ付書籍担持装置４０の所在が不明なときに、携帯電話等から特定の電波を発しスピーカ付書籍担持装置４０のスピーカ８から所定の音声を再生させることで、その所在を容易に知ることが可能となる。
【００６９】
以上、本発明のスピーカ付書籍担持装置４０およびそれに担持される書籍５０について例を挙げて説明したが、本発明のスピーカ付書籍担持装置４０およびそれに担持される書籍５０ついてもこれらの例に限られず、本発明の趣旨に反しない限度において、かつ、必要に応じてその構成を適宜変更することができる。例えば、上記した例では表表紙部４１のみをスピーカ８としたが、このようなものに代えて裏表紙部４２のみをスピーカ８としてもよく、また表表紙部４１と裏表紙部４２の両方をスピーカ８としてもよい。また、スピーカ付書籍担持装置４０とそれに担持される書籍５０の電気的接続手段４５、５５の位置等は適宜変更してもよい。
【図面の簡単な説明】
【００７０】
【図１】本発明のスピーカ付書籍装置の一例を示した斜視図。
【図２】図１に示すスピーカ付書籍装置の一部を切欠断面図とした正面図。
【図３】図２に示すスピーカ付書籍装置の左側面図。
【図４】図２に示すスピーカ付書籍装置の右側面図。
【図５】図２に示すスピーカ付書籍装置の上面図。
【図６】スピーカを示した断面図。
【図７】本発明のスピーカ付書籍装置の構成を示したブロック図。
【図８】シート番号認識手段を設けたスピーカ付書籍装置の一例を示した図。
【図９】本発明のスピーカ付書籍担持装置を示した一部を切欠断面図とした正面図。
【図１０】図９に示すスピーカ付書籍担持装置の右側面図。
【図１１】図９に示すスピーカ付書籍担持装置の上面図。
【図１２】本発明のスピーカ付書籍担持装置に担持される書籍の一例を示した斜視図。
【図１３】本発明のスピーカ付書籍担持装置およびそれに担持される書籍の構成を示したブロック図。
【符号の説明】
【００７１】
１…スピーカ付書籍装置、２…表表紙、３…裏表紙、４…シート、５…背、６…スピーカ用振動板、７…励振器、８…スピーカ、９…音声記憶装置、１０…再生装置、１１…操作部材、１２…表示装置、１３…板状支持体、１４…ハニカム構造部、１５…音声デコータ、１６…音量・音質調整装置、１７…Ｄ／Ａコンバータ、１８…出力アンプ、１９…電源装置、２０…処理装置、３０…ＲＦＩＤタグ、３１…通信装置、４０…スピーカ付書籍担持装置、４１…表表紙部、４２…裏表紙部、４３…背部、４４…クリップ、４５…電気的接続手段、５０…書籍、５１…表表紙、５２…裏表紙、５３…シート、５４…背、５５…電気的接続手段
【図１】
2007076166.tif 000003
【図２】
2007076166.tif 000004
【図３】
2007076166.tif 000005
【図４】
2007076166.tif 000006
【図５】
2007076166.tif 000007
【図６】
2007076166.tif 000008
【図７】
2007076166.tif 000009
【図８】
2007076166.tif 000010
【図９】
2007076166.tif 000011
【図１０】
2007076166.tif 000012
【図１１】
2007076166.tif 000013
【図１２】
2007076166.tif 000014
【図１３】
2007076166.tif 000015